(57)【要約】      （修正有）【課題】複雑な蝶番構造を採用することなく、ボードを自由な相対角度に展開して使用することができるとともに、不要な時には小さく畳んで収容しておくことができるボードセットを提供する。【解決手段】複数枚のボード２と、これらのボード２同士を相互に重なり合う折畳状態及びボード２の表裏両面が視認可能な展開状態（ｏ）をとり得るように連結する連結部材３とを備えたボードセット１であって、ボード２の少なくとも一枚が筆記面６１を備えたものであり、連結部材３が、隙間１０を介して隣接させたボード２の側縁２８同士を連結する可撓性材料により作られる。【選択図】図１
2012101481.tif 000002
【特許請求の範囲】
【請求項１】
複数枚のボードと、これらのボード同士を相互に重なり合う折畳状態及びボードの表裏両面が視認可能な展開状態をとり得るように連結する連結部材とを備えたボードセットであって、
前記ボードの少なくとも一枚が筆記面を備えたものであり、前記連結部材が、隙間を介して隣接させたボードの側縁同士を連結する可撓性材料により作られたものであることを特徴とするボードセット。
【請求項２】
前記各ボードが、下縁に接地体を備えたものであり、展開状態で自立させ得るように構成されている請求項１記載のボードセット。
【請求項３】
前記各ボードの表に筆記面がそれぞれ形成されている請求項１または２記載のボードセット。
【請求項４】
前記連結部材が、隙間を介して隣接させた２枚のボードの側縁同士を連結するものであり、前記各ボードが、連結されていない側の側縁側に前記折畳状態で重なり合う取手を設けたものである請求項１、２または３記載のボードセット。
【請求項５】
前記連結部材が、前記ボードの表及び裏にそれぞれ設けられた外面パネル間に保持されるものである請求項１、２、３または４記載のボードセット。
【発明の詳細な説明】
【技術分野】
【０００１】
本発明は、ホワイトボードや黒板など筆記具を用いて筆記可能な筆記用ボードや、ピンなど取付具を用いて掲示可能な掲示用ボードを複数枚連結して使用するものに関する。
【背景技術】
【０００２】
従来、ホワイトボード等の筆記用のボードは、一枚の状態で使用されることが多い（例えば、特許文献１を参照）。また、複数枚のボードを横方向に並べ、スクリーン状に連結させて使用するものも考えられている。
【０００３】
ところが、従来のものは、複数枚のボードを連結する際に、蝶番を介して繋いでいた。そのため、隣接するボード同士の相対位置を変えようとする際に、蝶番の構造上、回動範囲に制限が生じてしまい、ボード同士の相対位置を自由に変えることが難しかった。また、このような回動範囲の制限をなくすためには、複雑な蝶番構造を採用しなければならないという問題があり、何らかの解決策が望まれていた。
【先行技術文献】
【特許文献】
【０００４】
【特許文献１】特開２００８−１２００１６号公報
【発明の概要】
【発明が解決しようとする課題】
【０００５】
本発明は、以上のような事情に着目してなされたものであり、複雑な蝶番構造を採用することなく、ボードを自由な相対角度に展開して使用することができるとともに、不要な時には小さく畳んで収容しておくことができるボードセットを提供することを目的とする。
【課題を解決するための手段】
【０００６】
本発明は、以上のような課題を解決するために、次のような構成を採用したものである。すなわち、本発明に係るボードセットは、複数枚のボードと、これらのボード同士を相互に重なり合う折畳状態及びボードの表裏両面が視認可能な展開状態をとり得るように連結する連結部材とを備えたものであって、前記ボードの少なくとも一枚が筆記面を備えたものであり、前記連結部材が、隙間を介して隣接させたボードの側縁同士を連結する可撓性材料により作られたものであることを特徴とする。
【０００７】
ここで、「隙間」とは、隣接するボード同士を折畳状態に重ね合わせるのに十分な寸法のものであればよく、例えば、連結部材が伸縮可能なものであれば限りなく０に近い寸法のものであってもよい。この隙間は、必ずしもボードの表裏を連通させるように開放されている必要はなく、ボードを折畳状態に重ね合わせることを阻害しない材料により塞がれていてもよい。
【０００８】
このようなものであれば、従来のような複雑な蝶番構造を採用することなく、ボードを連結させることができる。そして、ボードを自由な相対角度に展開して使用することができるとともに、不要な時には小さく畳んで収容しておくことができる。
【０００９】
各ボードが、下縁に接地体を備えたものであり、展開状態で自立させ得るように構成されているものが好ましい一態様として挙げられる。
【００１０】
また、各ボードの表に筆記面がそれぞれ形成されているものであれば、広い筆記面を確保することができる。
【００１１】
連結部材が、隙間を介して隣接させた２枚のボードの側縁同士を連結するものであり、前記各ボードが、連結されていない側の側縁側に前記折畳状態で重なり合う取手を設けたものであれば、持ち運びを容易にすることができる。
【００１２】
連結部材の好適な一態様としては、前記ボードの表及び裏にそれぞれ設けられた外面パネル間に挟持されるものが挙げられる。
【発明の効果】
【００１３】
本発明は、以上のような構成であるから、複雑な蝶番構造を採用することなく、ボードを自由な相対角度に展開して使用することができるとともに、不要な時には小さく畳んで収容しておくことができるボードセットを提供することができる。
【図面の簡単な説明】
【００１４】
【図１】本発明の一実施形態を示すボードセットを正面側から見た斜視図。
【図２】同実施形態のボードセットを背面側から見た斜視図。
【図３】同実施形態のボードセットを示す正面図。
【図４】同実施形態のボードセットを示す平面図。
【図５】同実施形態の一方のボードを分解して示す斜視図。
【図６】図３におけるＡ−Ａ線断面図。
【図７】図３におけるＢ−Ｂ線断面図。
【図８】同実施形態のボードセットの展開状態及び折畳状態を模式的に示す平面図。
【図９】同実施形態のボードセットの一使用態様を示す模式図。
【図１０】同実施形態のボードセットの他の使用態様を示す模式図。
【発明を実施するための形態】
【００１５】
以下、本発明の一実施形態について図１ないし図１０を参照して説明する。
【００１６】
このボードセット１は、図１ないし図１０に示すように、同一構造をなす２枚のボード２と、これらのボード２同士を相互に重なり合う折畳状態（ｃ）及びボード２の表裏両面が視認可能な展開状態（ｏ）をとり得るように連結する連結部材３とを備えてなる。
【００１７】
各ボード２は、図１ないし図１０に示すように、例えば９００ｍｍ×１６００ｍｍ×２３ｍｍの寸法を有し、正面視矩形状をなす縦長の平板状のものであり、例えば発泡スチロール等の合成樹脂製の芯材４と、この芯材４を囲うように配された枠材５と、この枠材５及び芯材４の表面５５に添設した外面パネルであるホワイトボード６と、前記枠材５及び芯材４の裏面５６に添設した外面パネルであるピンナップボード７と、前記枠材５に外側から取り付けられるエッジ８と、これらエッジ８間を連結するコーナーキャップ９とを備えている。
【００１８】
前記枠材５は、図３、図５及び図６に示すように、正面視矩形状をなす板状の芯材４の周囲に配されるものであり、前記芯材４の左右側端縁にそれぞれ添設される縦枠材５１、５２と、前記芯材４の下端縁に添設される下枠材５３と、前記芯材４の上端縁に添設される上枠材５４とを備えている。これら縦枠材５１、５２、下枠材５３、及び上枠材５４は、前記芯材４とほぼ同一の厚み寸法を有したものである。前記縦枠材５１、５２は、前記エッジ８を取り付けるための係合溝たる側縁溝５１１、５２１を備えている。この縦枠材５１、５２の側縁溝５１１、５２１は、一端から他端まで上下方向に連続しており、ボード２の外側方に向けて開口している。前記下枠材５３は、前記エッジ８を取り付けるための係合溝たる下縁溝（図示せず）を備えるとともに、この下縁溝及び前記縦枠材５１、５２の側縁溝５１１、５２１に連続して設けられ前記エッジ８を取り付けるための係合溝たる側縁溝５３１を備えている。この下枠材５３の下縁溝は、一端から他端まで左右方向に連続しており、ボード２の下方に向けて開口している。また、下枠材５３の側縁溝５３１は、一端から他端まで上下方向に連続しており、ボード２の左右外側方に向けて開口している。前記上枠材５４は、前記エッジ８を取り付けるための係合溝たる上縁溝５４１を備えるとともに、この上縁溝５４１及び前記縦枠材５１、５２の側縁溝５１１、５２１に連続して設けられ前記エッジ８を取り付けるための係合溝たる側縁溝５４２を備えている。この上枠材５４の上縁溝５４１は、一端から他端まで左右方向に連続しており、ボード２の上方に向けて開口している。また、上枠材５４の側縁溝５４２は、一端から他端まで上下方向に連続するボード２の左右外側方に向けて開口している。
【００１９】
前記ホワイトボード６は、図１、図３、図５ないし図７及び図９に示すように、表面全域に筆記面６１を有した長方形状をなす板状のもので、図示しないマーカーを用いて筆記可能なものである。ホワイトボード６は、前記枠材５及び芯材４の表面５５側に添設される。
【００２０】
前記ピンナップボード７は、図２、図５ないし図７及び図１０に示すように、表面全域に掲示面７１を有した長方形状をなす板状のもので、図示しないピンを用いて掲示可能なものである。ピンナップボード７は、前記枠材５及び芯材４の裏面５６側に添設される。
【００２１】
前記エッジ８は、図１ないし図１０に示すように、前記枠材５の周囲に取り付けられるものであり、前記縦枠材５１、５２の側縁溝５１１、５２１、下枠材５３の側縁溝５３１、及び上枠材５４の側縁溝５４２に亘って取り付けられる左右の縦エッジ８１、８２と、前記下枠材５３の下縁溝に取り付けられる下エッジ８３と、前記上枠材５４の上縁溝５４１に取り付けられる上エッジ８４とを備えている。これら縦エッジ８１、８２、下エッジ８３、及び上エッジ８４は、それぞれプラスチック押出成形によって作られた合成樹脂製のものである。前記縦エッジ８１、８２は、前記縦枠材５１、５２の側縁溝５１１、５２１、下枠材５３の側縁溝５３１、及び上枠材５４の側縁溝５４２に係合する係合突部８１１、８２１を備えている。この縦エッジ８１、８２の係合突部８１１、８２１は、一端から他端まで上下方向に連続している。前記下エッジ８３は、前記下枠材５３の下縁溝に係合し一端から他端まで左右方向に連続する係合突部８３１を備えている。前記上エッジ８４は、前記上枠材５４の上縁溝５４１に係合し一端から他端まで左右方向に連続する係合突部８４１を備えている。
【００２２】
前記コーナーキャップ９は、図１ないし図５、図９及び図１０に示すように、前記枠材５の四隅のコーナー部をカバーするようにして設けられる合成樹脂製のものである。各コーナーキャップ９は、エッジ８に取り付けられる取付部９１を備えており、この取付部９１を前記係合突部８１１、８２１、８３１、８４１の基端部８１２、８２２、８３２、８４２両側に嵌め合わせることによって、隣接する縦エッジ８１、８２と上エッジ８４又は下エッジ８３とにまたがって取り付けられる。
【００２３】
このようにしてなる各ボード２の下縁２７には、図１ないし図３及び図５に示すように、それぞれ左右方向に間隔を開けて２箇所に接地体２１が取り付けられている。この接地体２１は、クッション性を有するゴム等によって作られている。
【００２４】
また、各ボード２の側縁２９側には、図１ないし図３、図５、図７、図９及び図１０に示すように、前記折畳状態（ｃ）で重なり合う取手２２が設けられている。すなわち、この取手２２は、前記ボード２に設けられた取手形成用の開口と、この開口の縁部を補強するための補強部材とから構成されている。
【００２５】
具体的には、取手形成用の開口は、図５及び図７に示すように、前記各外面パネル（本実施形態においては、ホワイトボード６、ピンナップボード７）に設けられた取手形成用の開口２２１、２２２と、前記芯材４と枠材５との境界部分に設けられた取手形成用の開口２２３とからなる。これら取手形成用の開口２２１、２２２、２２３は、使用者が手を掛けることができる程度の大きさを有する長孔状のものであり、前記ホワイトボード６、ピンナップボード７及び枠材５と芯材４の境界部分で高さ方向中央位置にそれぞれ設けてある。
【００２６】
補強部材は、図７に示すように、前記開口２２１、２２２、２２３の開口縁部を裏側から補強するための雌型部材２２４と、この雌型部材２２４に係合し前記開口２２１、２２２、２２３の開口縁部を表側から補強するための雄型部材２２５とからなる。雌型部材２２４は、前記取手形成用の開口２２１、２２２、２２３に対応する形状及び大きさを有する鍔部２２６と、この鍔部２２６の基端部に一体に設けられる筒部２２７とを備えている。この雌型部材２２４は、合成樹脂によって一体に成形されたものである。雄型部材２２５は、前記取手形成用の開口２２１、２２２、２２３に対応する形状及び大きさを有する鍔部２２８と、この鍔部２２８の基端部に一体に設けられる筒部２２９とを備えている。この雄型部材２２５は、合成樹脂によって一体に成形されたものである。この雄型部材２２５の筒部２２９の長さ寸法は、前記ボード２の厚み寸法と略同じに設定している。また、この筒部２２９の先端部分２２０は、前記雌型部材２２４の筒部２２７の内周に嵌り合うようになっている。
【００２７】
また、各ボード２の側縁２８には、図３、図５及び図６に示すように、それぞれ上下方向に間隔を開けて２箇所に、前記連結部材３を取り付けるための連結部材取付部２３が形成されている。すなわち、この連結部材取付部２３は、前記取手２２が設けられない側の側縁２８側に前記折畳状態（ｃ）で重なり合うものである。連結部材取付部２３は、縦枠材５１の上下２箇所に外方に開口させて設けられた連結部材挿入部２３５と、これら連結部材挿入部２３５に対応させて前記縦枠材５１及び外面パネルに設けられたボルト挿通用の貫通孔２３１、２３２、２３３と、前記連結部材挿入部２３５に連続させて前記縦エッジ８１に設けられた連結部材挿入部２３４とから構成されている。具体的には、縦枠材５１の連結部材挿入部２３５は、この縦枠材５１の厚み方向中央に位置させて形成された縦長の凹溝状をなすものである。ボルト挿通用の貫通孔２３１、２３２、２３３は、前記連結部材挿入部２３５に直交させて貫設されたもので、前記ホワイトボード６及びピンナップボード７に設けられたボルト挿通用の貫通孔２３１、２３２と、前記縦枠材５１に設けられたボルト挿通用の貫通孔２３３とからなる。縦エッジ８１の連結部材挿入部２３４は、この縦エッジ８１の厚み方向中央に位置させて形成された縦長のスリット状をなすもので、前記縦枠材５１の連結部材挿入部２３５と同一の開口形状をなしている。
【００２８】
以上のようにしてなる２枚のボード２は、図１ないし図３、図６ないし図１０に示すように、両ボード２の筆記面６１が形成されたホワイトボード６が表側に揃い、両ボード２の掲示面７１が形成されたピンナップボード７が裏側に揃うようにして、前記連結部材取付部２３が形成された側縁２８同士が前記連結部材３を介して連結されている。
【００２９】
連結部材３は、図１ないし図４、図６及び図８に示すように、隙間１０を介して隣接させた２枚のボード２の側縁２８同士を上下方向に間隔を開けて２箇所で連結するものである。また、前記ボード２の厚み方向略中央に設けられている。各連結部材３は、正面視矩形状をなす帯状のもので、可撓性材料、本実施形態においては可撓性を有するゴムにより作られたものである。その厚みは５ｍｍに設定している。各連結部材３の左右２箇所ずつに、ボルト挿通用の貫通孔３１が形成されている。これらの連結部材３は、前記ボード２の表及び裏にそれぞれ設けられた外面パネル間に保持されるものであり、具体的には、図６に示すように、連結部材３の左右の端部３２は、ボード２の側縁２８側において、縦枠材５１を介してホワイトボード６及びピンナップボード７に保持されている。
【００３０】
連結部材３のボード２への取付構造は、次の通りである。すなわち、連結部材３の端部３２を連結部材挿入部２３４、２３５にその貫通孔３１が連結部材取付部２３の貫通孔２３１、２３２、２３３に合致する位置まで挿入し、表側の貫通孔２３１から挿入したナット２５に裏側の貫通孔２３２から挿入したボルト２４を螺合させ、それらボルト２４とナット２５とを緊締することによって前記連結部材３の端部３２をボード２に固定し保持させている。連結部材３の両端部３２を両ボード２に固定した状態で、この連結部材３の中央部が前記隙間１０に対応する寸法だけ露出するように連結部材３の寸法が設定されている。図３、図４、図６及び図８に示す展開状態（ｏ）における前記連結部材３の中央部の露出領域の巾寸法（前記隙間１０の巾寸法）は、前記ボード２の厚み寸法より長寸に設定されている。すなわち、折畳状態（ｃ）において取手２２の位置がずれることなく略重なり合うことが可能となる巾寸法に設定されている。
【００３１】
次いで、このボードセット１の使用態様を説明する。
【００３２】
このボードセット１は、下縁２７に接地体２１を備えたものであり、展開状態（ｏ）で自立させ得るように構成されているので、図１及び図２に示すように、２枚のボード２を屏風状に広げて使うことができる。この際、自立状態のさらなる安定を図るために、図１及び図２に示すように、ボード２の下縁２７に別体のベース２６を取り付けてもよい。このベース２６は、ある程度の重さを有するステンレス製のものであり、接地部２６１と、この接地部２６１から立ち上がるボード保持部２６２とを備えている。このボード保持部２６２には、上方に開口する溝２６３が形成されており、前記ボード２の下縁２７を前記溝２６３に挿入してボード２を支持させることができるようにしている。
【００３３】
また、このボードセット１は、不要な場合に、折り畳んで搬送し、収納することができる。詳述すれば、図８ないし図１０に示すように、ボード２の表面または裏面のいずれの面を外側にするかを選択することができるとともに、そのどちらを選択しても展開状態（ｏ）からボード２同士が重なり合う折畳状態（ｃ）まで動かすことができるものである。
【００３４】
さらに、この折り畳んだ折畳状態（ｃ）で、容易に持ち運びが可能となる。例えば、図９に示すように取手２２に手を掛けて持ち運ぶことができる。この状態では、各ボード２の側縁２８、２８（縦エッジ８１、８１）よりも連結部材３が外方に位置することになるので、ボード２を床面に置いたとしても可撓性材料からなる連結部材３が先に床面に接する為、床面が傷つくことを防止することができる。また、図１０に示すように、ワゴンＷに載せて運ぶことも可能である。
【００３５】
以上に述べたように、本実施形態に係るボードセット１は、２枚のボード２と、これらのボード２同士を相互に重なり合う折畳状態（ｃ）及びボード２の表裏両面が視認可能な展開状態（ｏ）をとり得るように連結する連結部材３とを備えたものであって、前記両ボード２が筆記面６１を備えたホワイトボード６であり、前記連結部材３が、隙間１０を介して隣接させたボード２の側縁２８同士を連結する可撓性材料により作られたものであるので、従来のような複雑な蝶番構造を採用することなく、ボード２を連結させることができる。そして、２枚のボード２がそれぞれ筆記面６１を備えているため、筆記のために広い面積を確保することができるとともに、ボードセット１を使用しない時には、折畳状態（ｃ）にすることで、小さく畳んで収容しておくことができる。
【００３６】
また、このボードセット１は、複数枚のボード２を折り畳み可能に連結してなるもので、各ボード２が厚み方向に重なり合う折畳（重合）状態（ｃ）から展開状態（ｏ）まで、詳述すれば、前記折畳状態（ｃ）から各ボード２が屏風状に連なる中間状態を経て、各ボード２の表面が面一になる伸展状態までの間で伸展動作または折り畳み動作をさせることができるようになっている。そのため、使用者がボード２の外面パネル間の角度を自由に変えることができる。特に、本実施形態のものでは、比較的簡単な構造で、ボード２の表面または裏面のいずれの面を外側にするかを選択して折畳状態（ｃ）にすることができる。
【００３７】
連結部材３は、相互に突き合わせた隣接するボード２の側縁２８同士を、複数の連結部材３が上下に間隔をあけて配されているため、ボード２が比較的長尺なものであるにもかかわらず、しっかりと連結させることができる。本実施形態のような帯状の連結部材３は、ボード２の動作に伴って連結部材３の厚み方向に変形するが、比較的短い寸法の連結部材を１つのみ用いて連結させると、ボードの開閉動作に伴って連結部材にねじれる方向の力が加わるおそれがある。しかしながら、本実施形態のものは、連結部材３を２つ用いて上下の２箇所で連結しているため、ボード２の開閉動作に伴ってねじれる方向に変形しにくくすることができる。
【００３８】
また、各連結部材３は、フレキシブルに変形可能なシート状のものであり、一端を一方のボード２の側縁２８に設けた連結部材取付部２３に取り付けるとともに、他端を他方のボード２の側縁２８に設けた連結部材取付部２３に取り付けてなるので、ボード２を展開状態（ｏ）と折畳状態（ｃ）との間で開閉動作させる際に、スムーズに動かすことができる。
【００３９】
各ボード２は、下縁２７に接地体２１を備えたものであり、展開状態（ｏ）で自立させ得るように構成されているので、接地体２１により屏風状に展開保持された複数枚のボード２に必要な情報を記入したり添着したりすることにより会合を進めることができ、ボード２上に表示された情報を参加メンバー全員で共有することが可能になる。そして、会合を一旦中断或いは終了する際には、前記ボード２を折畳状態（ｃ）にすれば、ボード２上の情報を外部から隠蔽することも可能となる。
【００４０】
また、各ボード２は、このように展開状態（ｏ）で自立させ得るように構成されているので、筆記面６１を使用しない場合には、ボードセット１を間仕切やスクリーンとして機能させることができる。
【００４１】
前記２枚の各ボード２の表に筆記面６１がそれぞれ形成されており、裏に掲示面７１がそれぞれ形成されているので、展開状態（ｏ）で筆記面６１または掲示面７１を広く使うことができる。
【００４２】
前記各ボード２が、連結されていない側の側縁２９側に前記折畳状態（ｃ）で重なり合う取手２２を設けたものであるので、コンパクトな折畳状態（ｃ）にして、取手２２を用いて持ち運ぶことができる。また、折畳状態（ｃ）から展開状態（ｏ）に開成動作する場合にも、この取手２２を用いれば、容易に各ボード２を動かすことができる。
【００４３】
前記連結部材３が、前記ボード２の表及び裏にそれぞれ設けられた外面パネル間に挟持されるものであるので、連結部材３がボード２の小口端面に取り付けられる場合に比べて強度を持たせることができる。
【００４４】
なお、本発明は以上に述べた実施形態に限られない。
【００４５】
ボードセットは、上述したように２枚のボードで構成されるものに限られず、３枚以上のボードで構成されるものであってもよい。ボードの左右両端縁に連結部材取付部を設け、適宜使用態様に応じて隣接するボードの数を増加又は減少させるようにしても良い。
【００４６】
また、各ボードの大きさは、上述したものに限られず、これよりも大きいものや、小さいものであってもよい。各ボードの厚みは２０〜２５ｍｍが好ましい。また、連結される複数のボードは、同一の構成のものには限られず、大きさ、材質等が異なる複数種類のボードを連結するものであってもよい。
【００４７】
各ボードは、軽量化を図るため発泡スチロールからなる芯材を主体として構成したが、これに限らずハニカムボード等の剛性のある軽量素材を主体として構成してもよい。
【００４８】
外面パネルは、本実施形態で示したホワイトボードや、正面視略矩形状の木製板材の表面にクロスを貼着してなり、押しピン等を差し込み得るいわゆるピンナップボードに限られない。すなわち、外面パネルは、種々の情報を記入したり情報を記載した用紙等を貼り付けたりすることができるものであればホワイトボードやピンナップボードにより構成されるものに限られず、用紙等の貼り付けに適した掲示用ボード、具体的には押しピンを用いて用紙等を貼り付けるコルクボードや、マグネットを用いて用紙等を貼り付ける磁力を備えたボード等を使用することもできる。また、表裏の両面が同一種類の外面パネルであってもよい。
【００４９】
枠材は、前記実施形態では中実な構造として図示しているが、樹脂や金属等により作られた中空体状のものであってもよい。
【００５０】
連結部材は、可撓性を有する軟質部材であれば、本実施形態に示すゴムに限られず、シリコン、布、合成樹脂等、その素材は種々変更可能である。
【００５１】
また、連結部材の形状も、矩形状のものに限られない。例えば、矩形状以外の多角形状の板状または帯状のものや、円形状や楕円形状の板状または帯状のもの、さらに、断面視多角形状や円形、楕円形状のパイプ状のもの等であってもよい。
【００５２】
連結部材は、本実施形態では上下に２箇所に設けていたが、これに限られず、１箇所または３箇所以上に設けるものであってもよい。また、連結部材は、ボードの長手方向の縁部に取り付けられるものに限られず、短手方向の縁部に取り付けられるものであってもよい。
【００５３】
取手は、上述した実施形態のようにボードに開口を形成したものに限られず、ボードの側縁に取り付けられ外方に突出するようなものであってもよい。また、取手が形成される場所も、連結部材が取り付けられる側の側縁や、上縁、下縁等に設けられるものであってもよい。また、取手が取り付けられる位置も、側縁の高さ方向中央部に限られないが、本実施形態のように中央部に設けたものであれば、取手を使って持ち運ぶ際の安定性を高めることができる。
【００５４】
接地体は、アジャスタ機能付きのものであってもよい。また、ゴム製のものには限られないが、接地体がゴム製のものであれば、比較的長尺なボードセットを持ち運ぶ際に、接地体をぶつけて傷つけてしまうことを防ぐことができる。
【００５５】
ベースは、本発明に必須のものではなく、その形状や取付場所も上述したものに限られない。ベースの他の一例としては、平面視略円形状をなすものであってもよい。この円形状のベースの上面側に放射線状に複数本の溝を形成したものであれば、隣接する２枚のボードの連結部分の下縁をこのベースによって支持することで、ボードセットの安定化に寄与することができる。特に、溝が複数設けてあるので、これらの溝に対して選択的に２枚のボードを載置することで、２枚のボードの相対位置を決めることができる。
【００５６】
その他、本発明の趣旨を損ねない範囲で種々に変更してよい。
【符号の説明】
【００５７】
１…ボードセット
（ｃ）…折畳状態
（ｏ）…展開状態
１０…隙間
２…ボード
２１…接地体
２２…取手
２７…下縁
２８…側縁
２９…（連結されていない側の）側縁
３…連結部材
６１…筆記面
【図１】
2012101481.tif 000003
【図２】
2012101481.tif 000004
【図３】
2012101481.tif 000005
【図４】
2012101481.tif 000006
【図５】
2012101481.tif 000007
【図６】
2012101481.tif 000008
【図７】
2012101481.tif 000009
【図８】
2012101481.tif 000010
【図９】
2012101481.tif 000011
【図１０】
2012101481.tif 000012